Podtech/llm-jp-corpus-v4-ja_patent huggingface dataset:
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
（ａ）第１面を形成する第１組のひだの折り目および第２面を形成する第２組のひだの折り目を有するろ過媒体であり、前記第１組のひだの折り目および前記第２組のひだの折り目の間に往復配置されて広がるろ過媒体、
を含むひだ付きろ過媒体パックであって、
（ｂ）前記第１組のひだの折り目および前記第２組のひだの折り目の間に広がる前記ろ過媒体の少なくとも一部分が、第１組の溝流路のピークおよび第２組の溝流路のピークを形成する溝流路を含み、この溝流路は、前記第１組のひだの折り目から前記第２組のひだの折り目への方向に延びており、
（ｃ）前記ひだ付きろ過媒体パックにおける溝流路の少なくとも２５％が、溝流路の隣接ピークの間の少なくとも１つの隆起部（リッジ）であって、前記第１組のひだの折り目および前記第２組のひだの折り目の間の前記溝流路の長さの少なくとも２５％に沿って延びる少なくとも１つの隆起部（リッジ）を含み、かつ、
（ｄ）前記第１組のひだの折り目から前記第２組のひだの折り目に延びる前記溝流路の少なくとも一部分が、少なくとも１．０５のＤ２／Ｄ１値を含み、但し、Ｄ１は前記溝流路の幅であり、Ｄ２は前記溝流路の幅に対応する媒体の長さである、
ひだ付きろ過媒体パック。
【請求項２】
前記第１の溝流路のピークまたは前記第２の溝流路のピークの少なくともいずれかが、約１ｍｍより小さい半径を有する、請求項１に記載のひだ付きろ過媒体パック。
【請求項３】
前記ろ過媒体が少なくとも５０％の媒体容積の非対称を呈する、請求項１に記載のひだ付きろ過媒体パック。
【請求項４】
前記媒体が少なくとも１％の媒体うねり率を有する、請求項１に記載のひだ付きろ過媒体パック。
【請求項５】
前記溝流路は、幅（Ｄ１）の高さ（Ｊ）に対する比（Ｄ１／Ｊ）が、少なくとも２．０である、請求項１に記載のひだ付きろ過媒体パック。
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
粒状固体を分散剤および液体媒体と一緒に分散させること、
ここにおいて、該分散剤は、以下を含む組成物の共重合から得たまたは得ることができるランダムコポリマーである：
ｉ）１以上のモノエチレン不飽和親水性モノマー、
ｉｉ）１以上のモノエチレン不飽和疎水性モノマー、
ｉｉｉ）１以上のジ−および／または高級−エチレン不飽和モノマー、ならびに
ｉｖ）１以上の連鎖移動剤；
ここにおいて、分散段階は、粒状固体の粒子サイズを小さくする機械的処理により達成される、
を含む粒状固体の分散物の調製方法であって、さらに、粒状固体および液体媒体の存在下で分散剤を架橋剤と架橋して、これにより、粒状固体を架橋分散剤内に封入する段階を含む、方法。
【請求項２】
組成物が、３以上のエチレン不飽和基を有するモノマーを含有しない、請求項１に記載の方法。
【請求項３】
ジエチレン不飽和モノマーがジビニルベンゼンおよび／またはジウレタンジ（メタ）アクリレートを含む、請求項１〜２のいずれか一項に記載の方法。
【請求項４】
分散剤が親水性非イオン性基を有さない、請求項１〜３のいずれか一項に記載の方法。
【請求項５】
液体媒体が水性液体媒体である、請求項１〜４のいずれか一項に記載の方法。
【請求項６】
請求項１〜５のいずれか一項に記載の方法であって、さらに、以下を含む組成物の共重合により分散剤を調製する段階を含む方法：
ｉ）１以上のモノエチレン不飽和親水性モノマー、
ｉｉ）１以上のモノエチレン不飽和疎水性モノマー、
ｉｉｉ）１以上のジ−および／または高級−エチレン不飽和モノマー、ならびに
ｉｖ）１以上の連鎖移動剤。
【請求項７】
粒状固体がカーボンブラックまたは有機顔料である、請求項１〜６のいずれか一項に記載の方法。
【請求項８】
モノエチレン不飽和親水性モノマーが（メタ）アクリル酸を含む、請求項１〜７のいずれか一項に記載の方法。
【請求項９】
組成物が以下を含む、請求項１〜８のいずれか一項に記載の方法：
ａ）２０〜４０ｍｏｌ％のモノエチレン不飽和親水性モノマー（１以上）；
ｂ）５０〜７０ｍｏｌ％のモノエチレン不飽和疎水性モノマー（１以上）、
ｃ）２〜２０ｍｏｌ％のジ−および／または高級エチレン不飽和モノマー（１以上）；
ここにおいて、ｍｏｌ％はａ）〜ｃ）のすべてのモノマーの全モル数に基づき、ａ）〜ｃ）のモノマーの全ｍｏｌ％は１００％である；ならびに、
ｄ）ジ−または高級−エチレン不飽和モノマー（１以上）１モルあたり０．９（ｎ−１）〜３（ｎ−１）モルの連鎖移動剤（１以上）、ここにおいて、ｎは、ジ−または高級−エチレン不飽和モノマー（１以上）中のエチレン不飽和基の数である；ならびに、
ｅ）成分ａ）〜ｃ）の合計重量に基づき０．５〜３重量％のラジカル開始剤（１以上）。
【請求項１０】
請求項１〜９のいずれか一項に記載の方法により得たまたは得ることができる、粒状固体の分散物。
【請求項１１】
請求項１０に記載の粒状固体の分散物を含む、インクジェット印刷での使用に適したインク。
【請求項１２】
チャンバーおよびインクを含むインクジェット印刷機用カートリッジであって、該インクがチャンバー内に存在し、該インクが請求項１１に記載のとおりである、前記カートリッジ。
【請求項１３】
請求項１２に記載のカートリッジを含むインクジェット印刷機。
【請求項１４】
普通紙上に印刷するための請求項１１に記載のインクの使用。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
皮膚表面への局所投与のための医薬組成物であって：
（ｉ）０．０１〜１０％（ｗ／ｗ）のダナゾール、
（ｉｉ）１０〜９０％（ｗ／ｗ）の少なくとも１種のモノアルコール、
（ｉｉｉ）０．０１〜１０％（ｗ／ｗ）の少なくとも１種の浸透促進剤、
（ｉｖ）０〜５％（ｗ／ｗ）の少なくとも１種のゲル化剤、
（ｖ）０〜３０％（ｗ／ｗ）の少なくとも１種の保湿剤、
（ｖｉ）１００％（ｗ／ｗ）を満足させるだけの水
を含む医薬組成物。
【請求項２】
前記モノアルコールが、エタノールおよび／またはイソプロパノールであり、
前記浸透促進剤が、ミリスチン酸イソプロピルおよび／またはプロピレングリコールであり、
前記ゲル化剤が、ポリアクリル酸、セルロース誘導体、またはそれらの混合物であり、
前記保湿剤が、グリセリンである、請求項１に記載の医薬組成物。
【請求項３】
良性の乳房疾患、女性化乳房症、乳癌、乳房痛および高濃度乳腺組織を伴う状態から選択される乳房の障害を患っている患者を治療するための、請求項１または２に記載の医薬組成物。
【請求項４】
そう痒症、紅斑、じんま疹および皮膚炎から選択される皮膚障害を患っている患者を治療するための、請求項１または２に記載の医薬組成物。
【請求項５】
（Ａ）（ｉ）０．０１〜１０％（ｗ／ｗ）のダナゾール、
（ｉｉ）１０〜９０％（ｗ／ｗ）の少なくとも１種のモノアルコール、
（ｉｉｉ）０．０１〜１０％（ｗ／ｗ）の少なくとも１種の浸透促進剤、
（ｉｖ）０〜５％（ｗ／ｗ）の少なくとも１種のゲル化剤、
（ｖ）０〜３０％（ｗ／ｗ）の少なくとも１種の保湿剤、
（ｖｉ）１００％（ｗ／ｗ）を満足させるだけの水
を含む医薬組成物を含有するリザーバーと、
（Ｂ）局所塗布器
を含むデバイス。
【請求項６】
前記モノアルコールが、エタノールおよび／またはイソプロパノールであり、
前記浸透促進剤が、ミリスチン酸イソプロピルおよび／またはプロピレングリコールであり、
前記ゲル化剤が、ポリアクリル酸、セルロース誘導体、またはそれらの混合物であり、
前記保湿剤が、グリセリンである、請求項５に記載のデバイス。
【請求項７】
請求項１に記載の医薬組成物を調製する方法であって、
（ｉ）少なくとも１種のモノアルコールにダナゾールを溶解するステップと、
（ｉｉ）水と混合するステップと、
（ｉｉｉ）少なくとも１種の浸透促進剤と、所望により、少なくとも１種のゲル化剤と、所望により、少なくとも１種の保湿剤とを加えるステップ
を含む方法。
【請求項８】
前記モノアルコールが、エタノールおよび／またはイソプロパノールであり、
前記浸透促進剤が、ミリスチン酸イソプロピルおよび／またはプロピレングリコールである、請求項７に記載の方法。
【請求項９】
乳房の障害を患っている患者を治療するための医薬組成物であって、治療上有効な量が、それを必要とする患者の皮膚の表面に局所投与される、請求項１、２または３に記載の医薬組成物。
【請求項１０】
皮膚障害を患っている患者を治療するための医薬組成物であって、治療上有効な量が、それを必要とする患者の皮膚の表面に局所投与される、請求項１、２または５に記載の医薬組成物。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
支持体内に配置された側方光導体を含む点灯装置であって、前記支持体は前記光導体によって放射された光の通過のための細長い開口部を有し、前記支持体、前記光導体、又は、前記支持体及び前記光導体の両方は、少なくとも１つの接触縁部を提供するように成形されており、前記支持体と前記光導体との間の物理的係合のみが前記接触縁部に沿う、点灯装置。
【請求項２】
各接触縁部が２つの対応する相対的に傾斜した表面間に形成される、請求項１に記載の点灯装置。
【請求項３】
各接触縁部が前記支持体内で形成され、前記光導体が前記接触縁部によって係合されている少なくとも１つの位置決め機構を含む、請求項１又は２に記載の点灯装置。
【請求項４】
前記少なくとも１つの位置決め機構が前記光導体内の切り欠き領域によって形成される、請求項３に記載の点灯装置。
【請求項５】
前記光導体が、前記支持体内の前記細長い開口部の各側上に配置された２つの位置決め機構を含み、前記位置決め機構がそれぞれ少なくとも１つの対応する接触縁部によって係合される、請求項３又は４に記載の点灯装置。
【請求項６】
前記接触縁部が前記支持体内に前記光導体を保持する、請求項５に記載の点灯装置。
【請求項７】
各接触縁部が実質的に前記支持体の全長に沿って延びる、請求項６に記載の点灯装置。
【請求項８】
前記支持体の一部のみが前記支持体の全長に沿って連続的に延びる、請求項１〜７のいずれか一項に記載の方法。
【請求項９】
前記支持体が、概ねＵ型のチャネルの形態を有し、前記チャネルの壁部又はその部分のみが前記支持体の全長に沿って連続的に延びる、請求項８に記載の点灯装置。
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
電力を生成するシステムであって、
飛行型発電機と、
飛行型発電機から地上へ電気を伝達するとともに、飛行型発電機に取り付けられる第１の端部を有するテザー組立品と、
テザー組立品をドラムへ巻き取るとともに、テザー組立品をドラムから巻き出すウィンチ組立品とを備え、
ウィンチ組立品は、ドラムに巻き取られたテザー組立品に対しテザー組立品の第１の端
部にかかる張力よりも低い張力を付与するように構成される、電力生成システム。
【請求項２】
飛行型発電機は、テザー組立品がウィンチ組立品によって巻き出される際に、展開高度まで動力上昇することによりテザー組立品を延ばすとともに、自動回転で降下することにより、テザー組立品にかかる張力を低減する、請求項１に記載の電力生成システム。
【請求項３】
ウィンチ組立品は、ドラムの外側に設けられたテーブルと、テーブルに接続する運搬用
組立品とを備え、
テーブルは、テザー組立品がドラムへ巻き取られる前にテザー組立品にかかる張力を解
放し、運搬用組立品は、テザー組立品のウィンチ組立品角度を調整し、
運搬用組立品は、テザー組立品の第１の端部の方向を天頂角がおおよそ１０−９０度となるようにして定めるとともに、テザー組立品の方向を方位角がおおよそ０−２７０度となるようにして定め、
ウィンチ組立品は、略０−約１０度の巻き取り角度にてテザー組立品をドラムへ巻き取る、請求項１に記載
の電力生成システム。
【請求項４】
ウィンチ組立品は、テザー組立品の長さ方向の張力を調整するとともにテザー組立品をドラムに対して固定する固定用組立品を備え、
ウィンチ組立品は、メモリーを有する制御器を備え、
制御器は、テザーに対する固定用組立品の固定位置を記録し、メモリーは、記録された固定位置の保存／読み取りを行う、請求項１に記載の電力生成システム。
【請求項５】
テザー組立品は、発電機から地上へ電気を伝達する第１のケーブルと、発電機から地上
へ電気を伝達する第２のケーブルと、第３のケーブルとを備え、
第１および第２のケーブルは、互いにおよび第３のケーブルと電気的に絶縁されており、
ウィンチ組立品は、第１のケーブルを第１のドラムへ巻き取る第１のウィンチ組立品と
、第２のケーブルを第２のドラムへ巻き取る第２のウィンチ組立品と、第３のケーブルを
第３のドラムへ巻き取る第３のウィンチ組立品とを備え、
第１および第２のウィンチ組立品は、互いにおよび第３のウィンチ組立品とは独立して
巻き取りを行う、請求項１に記載の電力生成システム。
【請求項６】
飛行型発電機は、ほぼ垂直に動力上昇するように制御されることにより、テザー組立品
の長さをウィンチ組立品の高さに対する所望の電力生成高度のおおよそ１．２−１．６倍
の長さにする、請求項１に記載の電力生成システム。
【請求項７】
飛行型発電機に連結されるテザーを取り扱う方法であって、
ドラムからテザーを巻き出しながら、飛行型発電機を第１の高度で飛行させる工程と、
第１の高度に位置される飛行型発電機を用いて電気を生成し、その電気をテザーから地上に位置されるステーションへ伝達する工程と、
飛行型発電機を自動回転させるとともに、テザーをドラムへ巻き取る際にテザーにかかる張力を低減するように巻き取り角度を所望の角度にて維持することにより、飛行型発電機を地上へ飛行させる工程と、を含む方法。
【請求項８】
飛行型発電機を第１の高度で飛行させる工程は、飛行型発電機を第１の高度よりも高い展開高度へ動力上昇させる工程と、テザーを第１の高度の１，２−１．６倍である所望の展開長さにて固定する工程と、テザーを固定した後に飛行型発電機を自動回転させることにより、飛行型発電機を展開高度から第１の高度へ飛行させる工程とを含む、請求項７に記載の方法。
【請求項９】
テザーは、飛行型発電機に連結される耐荷重ケーブルと、飛行型発電機に連結される導
体ケーブルとを備え、
耐荷重ケーブルは第１のドラムへ巻き取られるとともに、導体ケーブルは独立して第２のドラムへ巻き取られ、
耐荷重ケーブルが第１のドラムへ巻き取られる前に、導体ケーブルは第２のドラムへ巻き取られる、請求項７に記載の
方法。
【請求項１０】
飛行型発電機に連結されるテザーを取り扱う方法であって、
飛行型発電機を地上よりも上方の第１の高度に展開する工程と、
テザーを巻き取ることにより飛行型発電機を巻き取る工程と、
固定用組立品を用いてテザーを固定する工程と、
テザーの中で固定用組立品による固定力の付与された第１の位置をトラッキングする工
程と、
テザーの中で固定用組立品によってまだ固定されていない第２の位置にてテザーを固定
する工程とを備える方法。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
少なくとも下記の成分を含むことを特徴とする、セルフシーリングエラストマー組成物：
主要エラストマーとしての、不飽和ジエンエラストマー；
30phrと90phrの間の炭化水素樹脂；および、
0〜30phr未満の充填剤。
【請求項２】
前記組成物が、インフレータブル物品におけるパンク防止層用である、請求項１記載の組成物。
【請求項３】
前記不飽和ジエンエラストマーが、ポリブタジエン、天然ゴム、合成ポリイソプレン、ブタジエンコポリマー、イソプレンコポリマーおよびこれらのエラストマーのブレンドによって形成される群から選ばれる、請求項１または２記載の組成物。
【請求項４】
前記不飽和ジエンエラストマーが、天然ゴム、合成ポリイソプレンおよびこれらのエラストマーのブレンドによって形成される群から選ばれるイソプレンエラストマーである、請求項３記載の組成物。
【請求項５】
前記不飽和ジエンエラストマー含有量が、50phrより多い、請求項１〜４のいずれか１項記載の組成物。
【請求項６】
前記イソプレンエラストマーが、前記組成物の唯一のエラストマーである、請求項１〜５のいずれか１項記載の組成物。
【請求項７】
前記ジエンエラストマーの数平均分子量が、100 000g/モルと5 000 000g/モルの間である、請求項１〜６のいずれか１項記載の組成物。
【請求項８】
前記炭化水素樹脂含有量が、45〜75phrの範囲内である、請求項１〜７のいずれか１項記載の組成物。
【請求項９】
前記炭化水素樹脂が、0℃より高いTg (ガラス転移温度)を有する、請求項１〜８のいずれか１項記載の組成物。
【請求項１０】
前記炭化水素樹脂の数平均分子量が、400g/モルと2000g/モルの間である、請求項１〜９のいずれか１項記載の組成物。
【請求項１１】
前記炭化水素樹脂が、シクロペンタジエン(CPD)のホモポリマーまたはコポリマー樹脂、ジシクロペンタジエン(DCPD)のホモポリマーまたはコポリマー樹脂、テルペンのホモポリマーまたはコポリマー樹脂、C5留分のホモポリマーまたはコポリマー樹脂およびこれらの樹脂のブレンドによって形成される群から選ばれる、請求項１〜１０のいずれか１項記載の組成物。
【請求項１２】
0〜20phr未満の充填剤を含有する請求項１〜１１のいずれか１項記載の組成物。
【請求項１３】
パンク防止層を備えたインフレータブル物品であって、該層が、セルフシーリング組成物として、請求項１〜１２のいずれか１項記載のエラストマー組成物を含む、前記インフレータブル物品。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
少なくともプロペンとプロパンを含むガス流からプロペンを工業的に得るための方法であって、
前記ガス流を、少なくとも１つの金属イオンと配位結合された少なくとも二座の有機化合物を少なくとも１つ含む多孔質有機金属骨格材料含有吸着体と接触させる工程を含み、
この際、前記吸着体にプロパンが負荷され、そして前記ガス流はこれによって高められたプロペン割合を有し、ここで少なくとも二座の有機化合物は、非置換のイミダゾレートであるか、又はハロゲン、Ｃ1〜Ｃ6アルキル、フェニル、ＮＨ2、ＮＨ（Ｃ1〜Ｃ6アルキル）、Ｎ（Ｃ1〜Ｃ6アルキル）2、ＯＨ、Ｏ−フェニル、及びＯ−Ｃ1〜Ｃ6アルキルから成る群から相互に独立して選択される１つ若しくは複数の置換基を有するイミダゾレートである、前記方法。
【請求項２】
前記ガス流がプロペンとプロパンの体積割合の合計に対して、プロペンを２０体積％〜８０体積％含むことを特徴とする、請求項１に記載の方法。
【請求項３】
前記ガス流が、場合により精製された、プロペン製造からの生成物流であることを特徴とする、請求項１又は２に記載の方法。
【請求項４】
場合により精製された生成物流が、プロペン製造のためのクラッキング法、プロパン脱水素、オレフィン変換、若しくはメタノール／ジメチルエーテル変換に、又は２つ若しくは２つより多いこれらのプロペン製造流の混合物に由来することを特徴とする、請求項３に記載の方法。
【請求項５】
場合により精製された生成物流が、プロペン製造のためのプロパン脱水素に由来することを特徴とする、請求項４に記載の方法。
【請求項６】
前記接触後にガス流が、プロペンとプロパンの体積割合の合計に対して８０体積％超のプロペン含分を有することを特徴とする、請求項１から５までのいずれか１項に記載の方法。
【請求項７】
以下の条件：
（ａ）前記接触が、−２０℃〜１５０℃の範囲の温度で行われること、
（ｂ）前記接触が、２ｂａｒ（絶対圧）〜３０ｂａｒ（絶対圧）の範囲の圧力で行われること、
が少なくとも１つ満たされていることを特徴とする、請求項１から６までのいずれか１項に記載の方法。
【請求項８】
少なくとも１つの金属イオンが、銅、鉄、アルミニウム、亜鉛、マグネシウム、ジルコニウム、チタン、バナジウム、モリブデン、タングステン、インジウム、カルシウム、ストロンチウム、コバルト、ニッケル、白金、ロジウム、ルテニウム、パラジウム、スカンジウム、イットリウム、ランタニド、マンガン、及びレニウムから成る金属の群から選択されていることを特徴とする、請求項１から７までのいずれか１項に記載の方法。
【請求項９】
前記イミダゾレートが、１つ又は複数のＣ1〜Ｃ6アルキル置換基を有することを特徴とする、請求項１から８までのいずれか１項に記載の方法。
【請求項１０】
少なくとも１つの金属イオンと配位結合された少なくとも二座の有機化合物を少なくとも１つ含む多孔質有機金属骨格材料を、少なくともプロペンとプロパンを含むガス流から、ガス流のプロパンを減少させることによってプロペンを工業的に得るために用いる方法であって、
この際、少なくとも二座の有機化合物が、非置換のイミダゾレートであるか、又はハロゲン、Ｃ1〜Ｃ6アルキル、フェニル、ＮＨ2、ＮＨ（Ｃ1〜Ｃ6アルキル）、Ｎ（Ｃ1〜Ｃ6アルキル）2、ＯＨ、Ｏ−フェニル、及びＯ−Ｃ1〜Ｃ6アルキルから成る群から相互に独立して選択される１つ若しくは複数の置換基を有するイミダゾレートである、前記方法。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
式(I) 
(M)-L-(M’)   (I)
{ここで、M及びM’は、同一でも異なっていてもよく、式(II) 
【化１】
2011528689.tif 000001
[ここで：
nは、1又は2であり；
Rは、ビフェニル-4-イル、4-ブロモフェニル、４−（４’−メトキシフェニル)-フェニル、４−（４’−エトキシフェニル)-フェニル、4-フェノキシ-フェニル、４−（４’−メトキシフェノキシ)-フェニル及び４−（４’−エトキシフェノキシ)-フェニルからなる群から選択され；
R1は、水素、ヒドロキシ基、又は-Ra又は-ORa基であり、ここで、Raは、アルキル又はアルケニル基であるか、又は、式(IV) 
-(CH2)p-Z- (CH2)r-W       (IV)
(ここで、pは、1又は2であり；Zは、単結合又は-O-もしくは-NH-から選択される二価の基であり、rは、0、1又は2であり；及び、Wは任意に置換されていてもよいフェニル又は、ヘテロ環基を表す。）であり；
R2及びR3は、同一でも異なっていてもよいが、それぞれ独立して、水素、直鎖又は分岐のC1-C4アルキル基、-COOH、-COORb、-CONHOH、又は-CONHORbであり、ここでRbは、アルキル、アリールアルキル、又はヘテロアリールアルキルであり、各アルキル鎖はそれぞれ1ないし4の炭素原子を有する直鎖又は分岐鎖であり；
Gは、イソプロピル又は-(CH2)m-N(R4)(R5)であり、ここで、mは2であり、R4及びR5はともにHであるか、またはR4は、-CORc、 -COORc、及び-S(O)2Rcからなる群から選択され、ここで、Rcは、アリール、アルキル又はアリールアルキルであり、アルキル鎖はそれぞれ1ないし4の炭素原子を有する直鎖又は分岐鎖であり、R5はHであり；
mは、1ないし6の整数であり；
R4は、H又は-CORc、 -COORc、-S(O)2Rc、-CONHRc及び-S(O)2NHRcからなる群から選択され、ここで、Rcは、C3-C6シクロアルキル、直鎖又は分岐鎖を有するアルキル、アリール、ヘテロアリール、アリールアルキル、ヘテロアリールアルキル、アルキルアリール、アルキルへテロアリール、5ならびに6員のヘテロサイクリル、アルキルへテロサイクリル及びヘテロシクロアルキルからなる群から選択され、ここで、各アルキル鎖はそれぞれ1ないし4の炭素原子を有し；
R5は、H、又はR4と一緒になって、任意に4ないし6員のベンゼン環と縮合したヘテロ環を形成してもよく、任意に上述のRa基及び/又は1つ以上のオキソ基(=O)により置換されていてもよく；
Lは、単結合又は、1ないし20の炭素原子からなる炭化水素鎖を含む、MとM’部分を結合するリンカーであり、任意にアリーレン、ヘテロアリーレン、シクロアルキレン、ヘテロシクロアルキレン、-CO-、-OCO-、-NR’-、-NR’CO-及び-CONR’-からなる群から選択される1つ以上の基を介していてもよく、ここで、R’は、H又はC1-C4のアルキル鎖であり、該鎖は、任意にオキソ(=O)、アミノ、ヒドロキシ又はカルボキシ基により置換されていてもよいが；
ただし、式(I)の化合物が以下：
【化２】
2011528689.tif 000002
であり、M及びM’が同一であり、及びR2又はR3のいずれかが水素である場合、R2又はR3のもう一方は-COOH、-COOtBu又は-CONHOHでない。]のメタロプロテアーゼ阻害剤の残基を表す。}
の化合物及びそれらの医薬的に許容される塩。
【請求項２】
M及びM’は、それぞれ同一であっても異なっていてもよく：
【化３】
2011528689.tif 000003
(ここで、R、n、R1、R2、R3、m、G、p、Z、r及びWは請求項1に定義されるものであり、線
【化４】
2011528689.tif 000004
は分子の他の部分との結合点を表す。)
からなる群から選択される請求項1に記載の式(I)の化合物。
【請求項３】
残基M及びM’が同一である請求項1又は2に記載の式(I)の化合物。
【請求項４】
R1が水素、イソプロポキシ、ベンジルオキシ、4-フェニル-ベンジルオキシ、アリルオキシ、2-[2(ピペラジニル-1−イル)エトキシ]エトキシ、2-[2(ピペラジニル-1−イル)エトキシ]エチル及び2-[2(4(エチルカルボニル)ピペラジニル-1−イル)エトキシ]エトキシからなる群から選択される請求項1に記載の式(I)の化合物。
【請求項５】
R2又はR3の一方が水素であり、R2又はR3のもう一方が-COOH又は-CONHOHである請求項1に記載の式(I)の化合物。
【請求項６】
Gが、直鎖又は分岐を有するC1-C6アルキル又は式-(CH2)m-N(R4)(R5)であり、m、R4及びR5は、請求項1に定義されたものである請求項1又は2のいずれかに記載の式(I)の化合物。
【請求項７】
リンカーLが、以下： 
【表１】
2011528689.tif 000005
【表２】
2011528689.tif 000006
【表３】
2011528689.tif 000007
からなる群から選択される化合物を表す請求項1又は2に記載の式(I)の化合物。
【請求項８】
Lが、以下の
【化５】
2011528689.tif 000008
からなる群から選択されるリンカーであり：
線
【化６】
2011528689.tif 000009
は、他の分子との結合点を表す、請求項1ないし7のいずれかに記載の式(I)の化合物。
【請求項９】
請求項1ないし8のいずれかに定義される式(I)の化合物又はそれらの医薬的に許容される塩の有効量を、医薬用途における任意の賦形剤、希釈剤、又は担体とともに含む、医薬組成物。
【請求項１０】
医薬の製造における、請求項1ないし8のいずれかに定義される式(I)の化合物又はそれらの医薬的に許容される塩の使用。
【請求項１１】
変性疾患の治療のための医薬の製造における、請求項1ないし9のいずれかに定義される式(I)の化合物又はそれらの医薬的に許容される塩の使用。
【請求項１２】
変性疾患が、対応しないマトリックスメタロプロテアーゼの制御に関連する請求項11に記載の使用。
【請求項１３】
変性疾患が、MMP-2、MMP-13及びMMP-14からなる群から選択されるマトリックス メタロプロテアーゼの過発現に関連する請求項12に記載の使用。
【請求項１４】
変性疾患が、細胞増殖を制御できない組織形態学的変化につながる病態を含む請求項11ないし13のいずれかに記載の使用。
【請求項１５】
変性疾患が、腫瘍；関節炎及び結合組織疾患；神経変性疾患、例えば多発性硬化症、アルツハイマー病、脳卒中及びALS(筋萎縮性側索硬化症)；心血管疾患、例えばアテローム性動脈硬化症、動脈瘤、心疾患、拡張型心筋症；肺疾患、例えば、肺気腫又は嚢胞性線維症；胃潰瘍；敗血症及び自己免疫疾患からなる群から選択される請求項14に記載の使用。
【手続補正書】
【提出日】平成24年7月9日(2012.7.9)
【手続補正１】
【補正対象書類名】特許請求の範囲
【補正対象項目名】請求項９
【補正方法】変更
【補正の内容】
【請求項９】
前記複動アクチュエータ（４０１）の２つのチャンバ（４３１、４３２）は、単一の弁（４５７）を備えた単一のパイプ（４５５）により接続されていることを特徴とする、請求項６に記載の装置。
【手続補正２】
【補正対象書類名】特許請求の範囲
【補正対象項目名】請求項１７
【補正方法】変更
【補正の内容】
【請求項１７】
前記車両は三輪車であることを特徴とする、請求項１６に記載の車両。
【手続補正３】
【補正対象書類名】明細書
【補正対象項目名】００３９
【補正方法】変更
【補正の内容】
【００３９】
図２（ｃ）に示されるように、フレーム２００の端部に取り付けられた取付け板２８１は、第４の孔部３２４、第５の孔部３２５、および第６の孔部３２６を有しており、それらは１つの円上において当該円の中心に対して１２０度の間隔をなすように配置されている。この円の直径は、取付けラグの３つの孔部３２１、３２２、３２３が配置されている円の直径と同一である。
【手続補正４】
【補正対象書類名】明細書
【補正対象項目名】００４０
【補正方法】変更
【補正の内容】
【００４０】
図２（ｂ）に示すジョイント３００は、略平行な２つの面を備えるゴムバネ部材である。中心部の開口はジョイント３００の径方向の弾性を増すことに寄与している。ジョイント３００は、第１の開口３３１、第２の開口３３２、第３の開口３３３、第４の開口３３４、第５の開口３３５、および第６の開口３３６を有しており、これらは前記２つの面の各々において開口している。各開口の軸はこれらの面に直交している。
【手続補正５】
【補正対象書類名】明細書
【補正対象項目名】００９２
【補正方法】変更
【補正の内容】
【００９２】
２つのアクチュエータの反対のチャンバ同士を接続すると、緩衝時にのみアクティブとなる２つのアクチュエータＶＤ、ＶＧを接続する導管部分の作用によってポンピングを制御できる。結果としてサスペンション部材ＳＵＳの緩衝機能を省略してバネのみで代えることが可能である。
【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
式（３）の化合物：
2011528654.tif 000001
［式（３）において、ｍは１−１０の整数であり；
Ｚは、高分子の残基であり；
Ｌ’は、リンカーの残基であり；
Ｄは、薬剤又はプロドラッグの残基であり；
Ｘは、Ｏ又はＳであり；
Ａは、アルケニル（Ｃ２）、アリールであるか、もしくは存在せず；
各Ｒ１及びＲ２は、独立して、Ｈ；ＣＮ；
ＮＯ２；
任意に置換されるアリール；
任意に置換されるヘテロアリール；
任意に置換されるアルケニル；
任意に置換されるアルキニルであるか；あるいは、
各Ｒ１及びＲ２は、独立して、ＣＯＲ３又はＳＯＲ３又はＳＯ２Ｒ３
（Ｒ３は、Ｈ、又は任意に置換されるアルキル；
任意に置換されるアリール；
任意に置換されるヘテロアリール；
任意に置換されるアルケニル；
任意に置換されるアルキニルであるか；あるいは、
ＯＲ又はＮＲ２（各Ｒは、独立して、Ｈ、又は任意に置換されるアルキル））
であるか；あるいは、
各Ｒ１及びＲ２は独立してＳＲ４
（Ｒ４は、任意に置換されるアルキル、
任意に置換されるアリール；
任意に置換されるヘテロアリール；
任意に置換されるアルケニル；
任意に置換されるアルキニル）であり、
式（３）において、Ｒ１及びＲ２は、結合して３―８員環を形成することができ；そして、
Ｒ１及びＲ２の両方がＨではあり得ず、
Ｒ５は、Ｈ又はアルキル（Ｃ１−６）である］。
【請求項２】
Ａが存在しないことを特徴とする請求項１に記載の化合物。
【請求項３】
ｍが１であり、及び／又は、Ｒ５がＨであることを特徴とする請求項１又は２に記載の化合物。
【請求項４】
Ｒ１及びＲ２の一方がＣＮであるか、
Ｒ１及びＲ２の少なくとも１つがフェニル又はフェニレンを含むか、
Ｒ１及びＲ２の一方がＳＯ２Ｒ３であり、他方がＨ、アルキル又はフェニルであることを特徴とする請求項１〜３のいずれか１項に記載の化合物。
【請求項５】
リンカー残基は、１４Ｄａ及び２０ｋＤａの間の分子量を有し、不飽和、ヘテロ原子、環状構造、芳香族部分、及び／又はヘテロ芳香族部分を含むことができ、Ｚを残りの分子に共有的に結合させる二価の鎖であることを特徴とする請求項１〜４のいずれか１項に記載の化合物。
【請求項６】
前記リンカーが、ペプチド又は擬似ペプチドであり、及び／又は、トリアゾール、フェニレン及び／又はマレイミドの残基を含むことを特徴とする請求項５に記載の化合物。
【請求項７】
前記高分子が抗体、多糖、アルブミン又は合成ポリマーであることを特徴とする請求項１〜５のいずれか１項に記載の化合物。
【請求項８】
合成ポリマーがポリエチレングリコール（ＰＥＧ）であることを特徴とする請求項７に記載の化合物。
【請求項９】
薬剤がペプチド、核酸又は小分子であることを特徴とする請求項１〜８のいずれか１項に記載の化合物。
【請求項１０】
式（２）の化合物：
2011528654.tif 000002
［式（２）において、ｍ、Ｒ１、Ｒ２、Ｒ５、Ａ、Ｘ及びＤは、請求項１において定義されたものであり、Ｌは、高分子に結合することが可能な連結基である］。
【請求項１１】
式（４）の化合物：
2011528654.tif 000003
［式（４）において、Ｒ１、Ｒ２、Ｒ５、Ａ、Ｘ、Ｚ及びＬ’は、請求項１において定義されたものである］。
【請求項１２】
式（１）の化合物：
2011528654.tif 000004
［式（１）において、Ｒ１、Ｒ２、Ｒ５、Ａ及びＸは、請求項１において定義されたものであり、Ｌは、高分子に結合することが可能な連結基である］。
【請求項１３】
請求項１−１０のいずれか１項に記載の化合物を含む医薬的に許容可能な組成物。
【請求項１４】
薬剤として使用するための請求項１−１０のいずれか１項に記載の化合物。
【請求項１５】
式（２）の化合物を高分子と反応させること、又は、
薬剤が式（４）の化合物にカップル化される条件の下で、式（４）の化合物を薬剤と反応させること、
を含む式（３）の化合物の調製方法。
【請求項１６】
薬剤が式（１）の化合物にカップル化される条件の下で、式（１）の化合物を薬剤と反応させることを含む式（２）の化合物の調製方法。
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
dry型加齢性黄斑変性（「dry型AMD」）を処置するためにdry型AMDを有する患者の眼に投与される生体適合性の薬物送達システムであって、抗血管新生剤としての、ベバシズマブ、ラニビズマブ、それらの誘導体、エステル、塩および混合物からなる群から選択される抗血管内皮増殖因子（「抗VEGF」）剤と、抗血管新生剤を伴うポリマービヒクルとしての乳酸−グリコール酸コポリマー（「PLGA」）とを含む薬物送達システム。
【請求項２】
抗血管新生剤が、ポリマービヒクル全体に均一に分散されることによってポリマービヒクルに伴う、請求項1に記載の薬物送達システム。
【請求項３】
前部眼内位置に注入することによって投与される、請求項1に記載の薬物送達システム。
【請求項４】
後部眼内位置に注入することによって投与される、請求項1に記載の薬物送達システム。
【請求項５】
硝子体腔の中に注入することによって投与される、請求項4に記載の薬物送達システム。
【請求項６】
抗血管新生剤が、ベバシズマブ、または、その誘導体、エステルもしくは塩である、請求項1に記載の薬物送達システム。
【請求項７】
約5μg〜約3mgのベバシズマブを含む、請求項6に記載の薬物送達システム。
【請求項８】
24時間にわたって平均して約10ng〜約40μgの間のベバシズマブを放出し、好ましくは24時間にわたって平均して約14μg〜約28μgの間または約7μg〜約14μgの間のベバシズマブを放出する、請求項7に記載の薬物送達システム。 
【請求項９】
患者において、片方の眼がdry型AMDであり、他方の眼がwet型AMDである、請求項1に記載の薬物送達システム。
【請求項１０】
dry型AMDを、処置眼におけるdry型AMDからwet型AMDへの進行を防止または遅延させることによって処置する、請求項9に記載の薬物送達システム。
【請求項１１】
dry型AMDを、投与を行ったdry型AMD眼における網膜血管新生の開始を防止または遅延させることによって処置する、請求項9に記載の薬物送達システム。
【請求項１２】
約25℃において約0.1／秒の剪断速度で、約130,000cps〜約300,000cpsの間の粘度を有する、請求項1に記載の薬物送達システム。
【請求項１３】
25〜30ゲージのシリンジを使用して注入される、請求項1に記載の薬物送達システム。
【請求項１４】
テノン嚢下、結膜下、脈絡膜上、強膜内、硝子体内および眼球後方の眼内位置からなる眼内位置群から選択される眼内位置に投与される、請求項1に記載の薬物送達システム。
【手続補正書】
【提出日】平成24年6月11日(2012.6.11)
【手続補正１】
【補正対象書類名】明細書
【補正対象項目名】発明の名称
【補正方法】変更
【補正の内容】
【発明の名称】ミキサー用の筐体、および筐体とミキサーのベースとの組合せ体
【手続補正２】
【補正対象書類名】特許請求の範囲
【補正対象項目名】全文
【補正方法】変更
【補正の内容】
【特許請求の範囲】
【請求項１】
ベースを有するミキサー用の筐体であって、
本体部分と、
前記本体部分に回転自在に取り付けられたカバーと、
前記本体部分により支持される脚部と、
前記ベースの上面と前記脚部との間に配置されるガスケットと、
を備え、
前記ガスケットは、前記ベースから前記筐体を隔離してこれらの間における振動の伝達を抑制するようになっていることを特徴とする筐体。
【請求項２】
前記ベースは、当該ベースの上面から上方に突出する基台を有しており、前記脚部は、前記基台が通過することができるような大きさの開口を有していることを特徴とする請求項１記載の筐体。
【請求項３】
前記ガスケットは、前記基台が通過して上方に延びることができるような大きさおよび形状の開口を有していることを特徴とする請求項２記載の筐体。
【請求項４】
前記ガスケットは、前記開口の周囲において上方に延びるフランジを有しており、前記フランジは、前記基台と前記脚部との間に配置されるようになっていることを特徴とする請求項３記載の筐体。
【請求項５】
前記本体部分上に配置されるガスケット細片を更に備え、
前記ガスケット細片は、前記カバーが閉止位置にあるときに前記本体部分と前記カバーとの間でシールを形成するようになっていることを特徴とする請求項１記載の筐体。
【請求項６】
前記ベース内に配置された磁石を更に備え、
前記筐体の前記脚部は金属から形成されており、前記脚部は前記磁石により前記ベースに固定されるようになっていることを特徴とする請求項１記載の筐体。
【請求項７】
筐体とミキサーのベースとの組合せ体であって、
前記ベースは上面を含み、
前記筐体は、本体部分と、前記本体部分に回転自在に取り付けられたカバーと、前記本体部分により支持される脚部と、前記ベースの上面と前記脚部との間に配置されるガスケットと、を備え、
前記ガスケットは、前記ベースから前記筐体を隔離してこれらの間における振動の伝達を抑制するようになっており、
前記筐体を前記ベースに固定するための機械的な留め具が設けられていないことを特徴とする組合せ体。
【請求項８】
前記ベースは、当該ベースの上面から上方に突出する基台を有しており、前記脚部は、前記基台が通過することができるような大きさの開口を有していることを特徴とする請求項７記載の組合せ体。
【請求項９】
前記ガスケットは、前記基台が通過して上方に延びることができるような大きさおよび形状の開口を有していることを特徴とする請求項８記載の組合せ体。
【請求項１０】
前記ガスケットは、前記開口の周囲において上方に延びるフランジを有しており、前記フランジは、前記基台と前記脚部との間に配置されるようになっていることを特徴とする請求項９記載の組合せ体。
【請求項１１】
前記筐体の前記本体部分上に配置されるガスケット細片を更に備え、
前記ガスケット細片は、前記カバーが閉止位置にあるときに前記本体部分と前記カバーとの間でシールを形成するようになっていることを特徴とする請求項７記載の組合せ体。
【請求項１２】
上面を含むベースを有するミキサー用の筐体であって、
脚部と、
前記ベースの上面と前記脚部との間に配置されるガスケットと、
を備え、
前記ガスケットは、前記ベースから前記筐体を隔離してこれらの間における振動の伝達を抑制するようになっており、
前記筐体を前記ベースに固定するための機械的な留め具が設けられていないことを特徴とする筐体。
【請求項１３】
前記ベースは、当該ベースの上面から上方に突出する基台を有しており、前記脚部は、前記基台が通過することができるような大きさの開口を有していることを特徴とする請求項１２記載の筐体。
【請求項１４】
前記ガスケットは、前記基台が通過して上方に延びることができるような大きさおよび形状の開口を有していることを特徴とする請求項１３記載の筐体。
【請求項１５】
前記ガスケットは、前記開口の周囲において上方に延びるフランジを有しており、前記フランジは、前記基台と前記脚部との間に配置されるようになっていることを特徴とする請求項１４記載の筐体。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
ａ）アラミド織物層を提供するステップと；
ｂ）熱可塑性樹脂に基づく少なくとも１層の熱可塑性層と、熱可塑性層の融解温度よりも実質的に高い融解温度を有する少なくとも１層の剥離層とを含んでなる多層構造体を提供するステップと；
ｃ）交互の順に配置された、少なくとも１層のアラミド織物層と、多層構造体の熱可塑性層がアラミド織物層に物理的に接触している少なくとも１層の多層構造とから作製されたパイルを得るステップと；
ｄ）熱可塑性樹脂の昇華および熱可塑性樹脂による少なくとも１層のアラミド織物層の含浸を可能にするためにｃ）で得られたパイルを、剥離層の化学的および物理的性質を実質的に変化させない温度と圧力による熱圧縮によって、耐穿刺性および耐衝撃性複合構造体を得るステップと；
ｅ）ステップｄ）で得られた耐穿刺性および耐衝撃性複合構造体から少なくとも１層の剥離層を除去するステップと、
を含んでなる耐穿刺性および耐弾道性複合構造体を製造する方法。
【手続補正２】
【補正対象書類名】明細書
【補正対象項目名】００３９
【補正方法】変更
【補正の内容】
【００３９】
熱可塑性層と剥離層との組合わせとして予備構築された多層構造体の使用により、製造機械の複雑さおよび全体的製造工程の複雑さが低減する。さらに、上記のようなポリマーから作製された剥離層は、容易にリサイクルでき、したがってそれらの使用により、シリコン紙の使用に対して環境に優しい代替物となる。
以下、本発明の態様を示す。
１．ａ）アラミド織物層を提供するステップと；
ｂ）熱可塑性樹脂に基づく少なくとも１層の熱可塑性層と、熱可塑性層の融解温度よりも実質的に高い融解温度を有する少なくとも１層の剥離層とを含んでなる多層構造体を提供するステップと；
ｃ）交互の順に配置された、少なくとも１層のアラミド織物層と、多層構造体の熱可塑性層がアラミド織物層に物理的に接触している少なくとも１層の多層構造とから作製されたパイルを得るステップと；
ｄ）熱可塑性樹脂の昇華および熱可塑性樹脂による少なくとも１層のアラミド織物層の含浸を可能にするためにｃ）で得られたパイルを、剥離層の化学的および物理的性質を実質的に変化させない温度と圧力による熱圧縮によって、耐穿刺性および耐衝撃性複合構造体を得るステップと；
ｅ）ステップｄ）で得られた耐穿刺性および耐衝撃性複合構造体から少なくとも１層の剥離層を除去するステップと、
を含んでなる耐穿刺性および耐弾道性複合構造体を製造する方法。
２．前記剥離層の融解温度が、前記熱可塑性層の融解温度よりも少なくとも２０℃以上高い上記１に記載の方法。
３．前記ステップｃ）でのパイルが、２層の多層構造体の間に配置された少なくとも１層のアラミド織物層から作製された１つ以上のサンドイッチ形態から作製され、前記熱可塑性層の各々の層が、前記アラミド織物層の各面上のアラミド織物層と物理的に接触している上記１または２に記載の方法。
４．前記アラミド織物層が、パラ−アラミド織物層である上記１〜３のいずれか一項に記載の方法。
５．前記熱可塑性樹脂が、アイオノマー類、ポリエチレン類、ポリエステル類、ポリアミド類、ポリイミド類、ポリカーボネート類、ポリウレタン類、ポリエーテルエーテルケトン類、フェノール性修飾樹脂およびそれらの混合物の中から選択される上記１〜４のいずれか一項に記載の方法。
６．前記熱可塑性樹脂が、１種以上のアイオノマー類から作製される上記５に記載の方法。
７．前記少なくとも１層の熱可塑性層が着色されている上記１〜６のいずれか一項に記載の方法。
８．前記少なくとも１層の剥離層が、ポリエステル類、ポリプロピレン類、ポリエチレン類、塩化ポリビニル類、ポリスチレン類およびそれらの混合物の中から選択される上記１〜７のいずれか一項に記載の方法。
９．前記熱可塑性多層の剥離層が、ポリエステルである上記８に記載の方法。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
疼痛および／または炎症治療用の、一般式（Ｉ）：Ｒ１−ＡＡ−Ｒ２、その立体異性体、その混合物、ならびにその化粧品的および薬剤的に許容される塩のペプチドであって：
ＡＡが配列番号２のアミノ酸配列に含まれる３ないし４０の隣接するアミノ酸配列であり；
Ｒ１がＨ、置換型または非置換型の非環式脂肪族基、置換型または非置換型の脂環、置換型または非置換型の複素環、置換型または非置換型のヘテロアリールアルキル、置換型または非置換型のアリール、置換型または非置換型のアラルキル、およびＲ５−Ｃ（Ｏ）−からなる群から選択され；
Ｒ２が−ＮＲ３Ｒ４、−ＯＲ３、および−ＳＲ３からなる群から選択され、Ｒ３およびＲ４が独立であり、Ｈ、置換型または非置換型の非環式脂肪族基、置換型または非置換型の脂環、置換型または非置換型の複素環、置換型または非置換型のヘテロアリールアルキル、置換型または非置換型のアリール、および置換型または非置換型のアラルキルからなる群から選択され；
Ｒ５がＨ、置換型または非置換型の非環式脂肪族基、置換型または非置換型の脂環、置換型または非置換型のアリール、置換型または非置換型のアラルキル、置換型または非置換型の複素環、および置換型または非置換型のヘテロアリールアルキルからなる群から選択されることを特徴とするペプチド。
【請求項２】
請求項１に記載のペプチドにおいて、Ｒ１がＨ、Ｃ２ないしＣ２４の置換型または非置換型の非環式脂肪族基、Ｃ２ないしＣ２４の置換型または非置換型の脂環基、またはＲ５−Ｃ（Ｏ）−であり、Ｒ５がＣ１ないしＣ２４の置換型または非置換型の非環式脂肪族基、またはＣ１ないしＣ２４の置換型または非置換型の脂環基であることを特徴とするペプチド。
【請求項３】
請求項２に記載のペプチドにおいて、Ｒ１がＨ、アセチル、ｔｅｒｔ−ブタノイル、ヘキサノイル、２−メチルヘキサノイル、シクロヘキサンカルボキシル、オクタノイル、デカノイル、ラウロイル、ミリストイル、パルミトイル、ステアロイル、オレオイル、およびリノレオイルからなる群から選択されることを特徴とするペプチド。
【請求項４】
請求項１に記載のペプチドにおいて、Ｒ１がポリエチレングリコール重合体であることを特徴とするペプチド。
【請求項５】
請求項４に記載のペプチドにおいて、前記ポリエチレングリコール重合体が：
2011528678.tif 000001
であり、ｎが１ないし１００の範囲となりうることを特徴とするペプチド。
【請求項６】
請求項１に記載のペプチドにおいて、Ｒ２が−ＮＲ３Ｒ４または−ＯＲ３であり、Ｒ３およびＲ４が独立であり、Ｈ、Ｃ１ないしＣ２４の置換型または非置換型の非環式脂肪族基およびＣ１ないしＣ２４の置換型または非置換型の脂環基からなる群から選択されることを特徴とするペプチド。
【請求項７】
請求項６に記載のペプチドにおいて、Ｒ３およびＲ４がＨ、メチル、エチル、ヘキシル、ドデシル、およびヘキサデシルからなる群から選択されることを特徴とするペプチド。
【請求項８】
請求項１に記載のペプチドにおいて、ＡＡが配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４、配列番号２５、配列番号２６、および配列番号２７からなる群から選択される配列に含まれる、隣接するアミノ酸配列であることを特徴とするペプチド。
【請求項９】
請求項１ないし８のいずれか１項に記載のペプチドにおいて、前記ペプチドが一般式（Ｉ）、その立体異性体、その混合物、またはその化粧品的もしくは薬剤的に許容される塩であり、リポソーム、ミリカプセル、マイクロカプセル、ナノカプセル、スポンジ、小胞、ミセル、ミリスフェア、ミクロスフェア、ナノスフェア、リポスフェア、マイクロエマルジョン、ナノエマルジョン、ミリ粒子、マイクロ粒子、およびナノ粒子からなる群から選択される送達系または持続放出系に取り込まれることを特徴とするペプチド。
【請求項１０】
請求項１ないし９のいずれか１項に記載のペプチドがタルク、ベントナイト、シリカ、デンプン、またはマルトデキストリンからなる群から選択される有機ポリマーまたは固体ミネラル担体に吸収されることを特徴とするペプチド。
【請求項１１】
請求項１ないし１０のいずれか１項に記載のペプチドがクリーム、複数の乳濁液、無水組成物、水性分散剤、油、ミルク、香油、泡、ローション、ゲル、水性アルコール溶液、塗布薬、美容液、石鹸、シャンプー、軟膏、ムース、軟膏剤、パウダー、バー、まゆ墨、スプレー、およびエアロゾルからなる群より選択される製剤に含まれることを特徴とするペプチド。
【請求項１２】
請求項１ないし１１のいずれか１項に記載のペプチドが布、不織布、または医療機器に取り込まれることを特徴とするペプチド。
【請求項１３】
請求項１ないし１２のいずれか１項に記載のペプチドが抗酸化剤、ＮＯ−合成酵素阻害剤、皮膚弛緩剤、抗炎症剤、鎮痛剤、抗菌剤、抗真菌剤、またはその混合物からなる群から選択される、有効量の少なくとも１の有効成分を含む組成物に含まれることを特徴とするペプチド。
【請求項１４】
請求項１ないし１３のいずれか１項に記載のペプチドが局所、経腸、または非経口経路により投与されることを特徴とするペプチド。
【請求項１５】
請求項１に記載のペプチドにおいて、前記疼痛および／または炎症が、神経因性疼痛、炎症性疼痛、内臓痛、腹痛、消化器系の疼痛、呼吸器系の疼痛、泌尿生殖器系の疼痛、内分泌系の疼痛、心臓痛、膵臓痛、腸痛、胃痛、脾臓痛、血管の疼痛、過敏性腸症候群、緊張性頭痛、副鼻腔炎に付随する頭痛、片頭痛、眼痛、ドライアイ症候群、術後痛、外科的な切開による術後痛、骨内への移植物の挿入による術後痛、骨の置換による術後痛、感染による術後痛、癌による疼痛、骨癌による疼痛、良性骨腫瘍に付随する疼痛、類骨腫に付随する疼痛、骨芽細胞腫に付随する疼痛、癌治療による疼痛、筋骨格痛、線維筋痛、神経痛、頸部のジストニアに付随する頸部痛、背部痛、腰痛、坐骨神経痛、神経原性炎症、皮膚刺激、敏感な皮膚、アトピー性皮膚炎、接触性皮膚炎、おむつ皮膚炎、湿疹、関節炎、関節リウマチ、変形性関節症、ヘルペス後神経痛、末梢神経障害、幻肢痛、異痛症、手根管症候群による疼痛、灼熱痛、感覚異常、顔面痛、三叉神経痛、糖尿病による神経因性疼痛、刺青または刺青の除去に伴う疼痛、腱膜瘤による疼痛、精巣痛、筋筋膜痛、膀胱痛、尿路痛、外陰部痛、膣痛、陰嚢痛、会陰部痛、骨盤痛、外科手術後、パルス光治療法（ＩＰＬ）による処置後、パルス単色光治療法（レーザー）による処置後、化学的ピーリング剤による処置後、または侵襲性の外部因子への過度の暴露後の疼痛または皮膚刺激からなる群から選択されることを特徴とするペプチド。